(57)【要約】  揺動及び摺動型金庫は、金庫ドア（１６）の着地表面（１５４）とドアの閉鎖端部を収納するためのポケット（１６４）とを有する閉鎖様式（４）を有する。その端部（１５０）は、ドア（１６）と閉鎖様式のフック（１５２）との間へのこじ開け棒の挿入を防ぐために外側に向かって折り曲げられている。ポケットは、摺動開放局面及び摺動閉鎖局面において、ドアの閉鎖端部を導くランプ面（１６２）を有する。別の変形例において、ランプ面（１６８）がドア上にも設けられ；第２のランプ面（１６６）が閉鎖様式のフック上に設けられ；ドア座部（１７２）がランプ（１６２）に組み込まれる。【選択図】図４
2009509069.tif 000002
【特許請求の範囲】
【請求項１】
金庫ドアの着地表面と前記ドアの閉鎖端部を収納するためのポケットとを実現する閉鎖様式を有する揺動及び摺動型金庫であって、
前記ドアと前記閉鎖様式との間に挿入されるこじ開けツールのドア端部へのアクセスを拒むことを目的として、前記ドアが、外側に向かって折り曲げられた閉鎖端部を有する金庫。
【請求項２】
前記閉鎖様式が、閉鎖位置において、前記ドアの外面が当接するよう意図された部分を有し、前記ポケットは、前記着地表面近傍に、前記ドアが、施錠が続いてなされる前記閉鎖位置まで摺動する時、前記閉鎖端部が接触するランプ表面を有し、前記閉鎖端部が前記ランプ表面上を通過することによって、前記ドアの前面が前記閉鎖様式の前記部分に押し付けられる請求項１に記載の金庫。
【請求項３】
前記外側に向かって折り曲げられた端部がフランジである請求項１に記載の金庫。
【請求項４】
前記ドアが閉じられる時、前記フランジが、前記閉鎖様式の前記部分と傾斜壁との間を通過する請求項３に記載の金庫。
【請求項５】
前記ランプ表面が、前記ドアポケットの傾斜壁である請求項２に記載の金庫。
【請求項６】
前記部分が、フック部分である請求項２に記載の金庫。
【請求項７】
前記ドアと前記部分との間に火災発泡シールが位置する請求項２に記載の金庫。
【請求項８】
前記ランプ表面が、前記ドアに対する正面からの力を阻止する、前記ドアの閉鎖端部用座部に通じている請求項２に記載の金庫。
【請求項９】
ドアが、開放経路及び閉鎖経路をとり、前記ドアポケットが、閉鎖時に前記ドアの経路を導く第１のランプ表面と、更に、開放時に前記ドアの経路を導く、前記第１のランプ表面と離間した第２のランプ表面とによって画定される請求項２に記載の金庫。
【請求項１０】
前記外側に向かって折り曲げられた閉鎖端部が、前記ドアに対して略９０°をなす請求項９に記載の金庫。
【請求項１１】
前記外側に向かって折り曲げられた閉鎖端部が、内側隅部と外側隅部とを有し、前記外側隅部が約９０°を内包し、前記内側隅部が鈍角を内包する請求項９に記載の金庫。
【請求項１２】
前記閉鎖様式の前記部分が自由端部を有し、前記ドアの前記外側に向かって折り曲げられた端部が、前記ドアが摺動して開き始める時に前記自由端部に接触する傾斜面を有する請求項２に記載の金庫。
【請求項１３】
前記ドアの反対側の端部も、外側に向かって折り曲げられた端部を有する請求項２に記載の金庫。
【請求項１４】
開放様式の端部の終端がフック構成となっており、前記ドアの前記外側に向かって折り曲げられた端部が補助フック構成を有し、前記ドアが閉じられる時、これらのフック構成が協同して前記ドアに対する正面からの圧力を阻止する請求項１３に記載の金庫。
【発明の詳細な説明】
【技術分野】
【０００１】
本発明は、セキュリティドア及びフレーム構造に関係し、主として金庫に関するが、セキュリティドアに適用可能である。
【背景技術】
【０００２】
同時係属中の特許第２００３２５２８６７号の出願において、我々は、揺動及び摺動型のセキュリティドア構造について述べている。ドアフレームは、ドアをオフセットヒンジ上に支持するための側板（ｕｐｒｉｇｈｔ）を有し、フレームの側板のヒンジと反対側には、ドアの閉鎖端部を受け入れるスロットを有し、ドアの閉鎖端部は、ドアが閉じる時には摺動してスロットに入り、ドアが開く時には摺動してスロットから出る。
【０００３】
このドアの摺動運動は、ドアを開ける際の揺動に先行するものであり、侵入者が成し遂げようとするのは、ドアをスロットから引っ込めるこの動作である。ドアは、ヒンジを支点として摺動自在であり、ドアボルトによって施錠位置に保持されなければならない。上記出願において、我々は、ドアに加えられるこじ開けようとする力を阻止するフックとスロットの構成について述べている。同時係属中のオーストラリア出願第２００４２３１２３４号において、我々は、金庫が施錠される時、ドアの幅方向を横切って摺動し、ドアヒンジ近傍の金庫壁に当接する水平バーについて述べている。ドアを摺動させて開ける傾向にあるこじ開けようとする力は、金庫壁に伝わって阻止される。
【０００４】
同時係属中のオーストラリア出願第２００５９０１１８４号において、我々は、ドアが施錠される時、ドアフレームの閉鎖縦框（ｓｔｉｌｅ）における垂直スロットに落ちる、ドアに取り付けられた昇降フックについて述べている。これらは何れも、ドアと閉鎖様式との間にあるドアフレームに加えられる、こじ開け棒によって及ぼされる力を阻止するのに効果的な手段である。
【０００５】
厚さ２〜３ｍｍの板材から作られる銃保管庫のような金庫においては、上記各装置の幾つかの箇所において施錠力を発揮させ、これらの箇所の間にある金属を屈曲させるとよい。効果的なてこの作用を加えることができないように、ドアと閉鎖様式との間の隙間へのこじ開け棒の挿入をより困難にすることによって、こじ開けを阻止することが望ましいであろう。
【発明の要約】
【０００６】
本発明の装置態様は、金庫ドアの着地表面とドアの閉鎖端部を収納するためのポケットとを実現する閉鎖様式（ｃｌｏｓｉｎｇ  ｓｔｙｌｅ）を有する揺動及び摺動型金庫であって、ドアと閉鎖様式との間に挿入されるこじ開けツールのドア端部へのアクセスを拒むことを目的として、ドアが、外側に向かって折り曲げられた閉鎖端部を有する金庫を提供する。
【０００７】
閉鎖様式は、閉鎖位置において、ドアの外面が当接するよう意図された部分を有してもよく、ポケットは、着地表面近傍に、ドアが、施錠が続いてなされる閉鎖位置まで摺動する時、閉鎖端部が接触するランプ（ｒａｍｐ）表面を有し、閉鎖端部がランプ表面上を通過することによって、ドアの前面が閉鎖様式の前記部分に押し付けられる。
【０００８】
スロットの傾斜部は、前側傾斜壁と後側傾斜壁とを有してもよい。後側傾斜壁は、ドアが閉じる時、ドア端部の後側表面が接触するランプ表面としての役割を果たし、それによって、ドア端部がドア縦框（ｓｔｉｌｅ）にしっかりと当接する。
【０００９】
前側傾斜壁は、フランジ用ランプ表面としての役割を果たし、ドアが摺動して開けられる時、ドアをドア縦框から着地表面に向かわせる。
【００１０】
前側傾斜壁は、閉鎖様式の自由端部を屈曲させることによって形成してもよい。
【００１１】
着地表面は、ドアに平行であるが、閉鎖様式近傍の金庫壁から突出している壁によって実現されてもよい。
【００１２】
後側傾斜壁は、突出している壁から閉鎖様式まで伸びていてもよい。
【００１３】
後側傾斜壁が、中空のドア様式の強化を可能にする、変更された溝型断面を有する部品の一部であれば都合がよい。この部品に、ドア様式の外形と部分的に一致する外形を与えること、及び、製造時、この部品をドア様式の溝部内に置くことで、部品と溝を向かい合わせで嵌合させて閉鎖様式の剛性が高められるようにすることによって、強化が可能になる。
【００１４】
フランジは、ドア端部を屈曲させることによって形成してもよく、５〜１５ｍｍの深さ、好ましくは１０ｍｍの深さを有してもよい。本明細書において、「フランジ」という用語は、単一の板材を７０〜９０°屈曲させて作られたリップ（ｌｉｐ）；屈曲部分を加工することによって作られた９０°の突出部；ドアをドアポケットから出易くするよう意図された一体型傾斜面を有するリップ、を含むことが意図されている。フランジは、一定又は漸減する厚さを有するものであってもよい。
【発明を実施するための最良の形態】
【００１５】
本発明の一実施形態について、以下の添付図面を参照して述べる。
【００１６】
図１は、閉鎖及び施錠位置における、我々による同時係属中の出願第２００３２５２８６７号のドア及びフレームの断面図。
【００１７】
図２は、同じ図であるが、ドアが揺動して開こうしているところを示す。
【００１８】
図３は、開こうとしている本発明のドア及びフレームの断面図であって、分かりやすくするために施錠装置を省略した図。
【００１９】
図４は、ドア端部の偏位経路を示す、開放／閉鎖位置の途中にあるドア及びフレームの断面図。
【００２０】
図５は、閉鎖及び施錠位置において示された、図２のドア及びフレームの断面図。
【００２１】
図６は、屈曲板部品で作られた場合の９０°ドア端部の部分断面図。
【００２２】
図７は、厚板ドアのドア端部の部分断面図。
【００２３】
図８は、中空の板加工物として作られた場合のドア端部の部分断面図。
【００２４】
図９は、閉鎖様式の自由端部に接触する傾斜面を有する厚板ドア端部の部分断面図。
【００２５】
図１０は、ドアに対する正面からの力を阻止する、閉じたドア用の座部を有する、図９における実施形態を改良したものの部分断面図。
【００２６】
図１１は、ドアの反対側端部の部分断面図。
【００２７】
符号が、公開技術を示す図１の順番通りとなっている図面の図１及び２を参照する。ドア１６は、ドア様式４、６間の間隔より幅が広い。ドアは、ヒンジ２２、２６のヒンジ対上に取り付けられ、左右への摺動運動は、オーストラリア出願第２００３９６６４７１号に記載の通り、ノブ５２、クランク及びリアクションバー（不図示）によって容易に制御される。
【００２８】
図３、４及び５を参照すると、ドア様式６は公知の金庫におけるものと変わらないが、閉鎖様式が変更され、ドア閉鎖端部が変更されている。ドア端部は、金庫内部から離れる方向に屈曲されて１０ｍｍ深さのフランジ１５０を形成している。スロット１４は、フランジを収容するために広げられている。
【００２９】
閉鎖様式４は、フック部分１５２が終端となっており、その頂部は着地表面１５４と平行になっている。本実施形態において、これら２つの表面は、約１５ｍｍ離れている。この様式の隅部は、角部分（ａｎｇｌｅ  ｓｅｃｔｉｏｎ）１５６により強化されており、Ｒ形部分１５８は、箱部１６０と、着地表面１５４と、ランプ１６２とを形成している。図１及び２に示されたスロットが広くなってポケット１６４を形成し、それによって、ドアの全高が高くなっている。
【００３０】
図３において、ヒンジ２６を支点にして揺動させた時のドア１６の後面は、着地表面１５４に当たる。ハンドル５２が回転すると、ドアは、ヒンジ２６を中心に揺動し、閉鎖／施錠位置に向かって摺動し、閉鎖／施錠位置においては、ドアの端部がランプ１６２によって偏位し、フック部分１５２に押し付けられる（図５参照）。
【００３１】
図６を参照すると、ドアは、中空で、フランジ１５０がフック部分と角部分とからなるように板材から加工されてもよい。
【００３２】
図７は、どのように図６のフランジが変更されて、第２又は出口ランプ１６６が実現されるかを示す。ハンドル５２が回転してドアが開く時、フランジは、出口ランプ１６６上に乗り、着地表面１５４上を摺動する。
【００３３】
図８において、フック部分１５２は、出口ランプ１６６を含むよう変更されている。更に、ドアは、傾斜面１６８を含む板部分を加工したものである。ドアが摺動して開き始めると、傾斜面１６８は出口ランプ１６６に乗り上る。
【００３４】
図９において、フック部分１５２は簡略化され、ドア端部に対して自由端部１７０を呈している。ドアのフランジ１５０は、傾斜面１６８が閉鎖様式の部分の一部なのではなく、ドアに設けられているという点で変更されている。この傾斜面は、ドアの前面に対して鈍角「Ａ」を内包する。
【００３５】
図９及び先に示した図における発泡片１７１は、体積が膨張して金庫の金属表面の間の隙間を塞ぐことによって火災に反応する火災シールである。
【００３６】
図１０において、ランプ表面１６２は、それが、閉鎖及び施錠時にドア１６の外側隅部の隅部が落ち着く約１０ｍｍ幅の座部１７２に通じているという点で変更されている。ドアの前面は、閉鎖様式上のフック構成１５２に当接する。ドアが閉じられる時、ドアの両面が閉鎖様式と接触する。
【００３７】
図１１において、ドアは、図６に示されたものと同様の屈曲部分から作られている。ドアのヒンジ端部は、開放様式上の補助フック構成１７６と協同するフック構成１７４をもたらすよう変更されている。ドアがヒンジ２６を支点として右へ摺動し、更にヒンジ２２を中心に揺動すると、これらのフック構成が離れ、それによって、ドアを約９０°開けることが可能となる。
【００３８】
図１０及び１１における変更は、ドアの中央に大きな打撃を加える、又は、衝撃ツールを用いるなどによる、ドアに対する正面からの力Ｆを阻止するよう意図されたものである。
【００３９】
上記実施形態の利点は以下のようなものであることが分かった。
【００４０】
１．ドアが閉じるとドアが閉鎖様式に当接するため、侵入者は、こじ開け棒を用いたてこ作用を利用しにくくなる。
【００４１】
２．こじ開けに対する同じだけの阻止力を達成するのに、ヒンジ及び施錠部をそれほど頑強にする必要がない。
【００４２】
３．この改良点は、フレームに突き入ったり、フレームから突き出したりするピン、又は近傍のフレーム部品におけるスロットと係合するドアフックのような通常の部品の取り付け又は動作を妨げない。
【００４３】
本明細書全体に使用されている「備える」という語は、その非排他的な形態において解釈されるべきであり、即ち、「備える」という語の使用によって、他の構成要素の追加が排除されないことを理解すべきである。
【００４４】
本発明の基本的な本質から逸脱することなく本発明に対して様々な変更及び／又は追加を行うことができることを理解すべきである。従って、このような変更及び／又は追加は本発明の範囲内にあるものと見なされる。
【図面の簡単な説明】
【００４５】
【図１】図１は、閉鎖及び施錠位置における、我々による同時係属中の出願第２００３２５２８６７号のドア及びフレームの断面図。
【図２】図２は、同じ図であるが、ドアが揺動して開こうしているところを示す。
【図３】図３は、開こうとしている本発明のドア及びフレームの断面図であって、分かりやすくするために施錠装置を省略した図。
【図４】図４は、ドア端部の偏位経路を示す、開放／閉鎖位置の途中にあるドア及びフレームの断面図。
【図５】図５は、閉鎖及び施錠位置において示された、図２のドア及びフレームの断面図。
【図６】図６は、屈曲板部品で作られた場合の９０°ドア端部の部分断面図。
【図７】図７は、厚板ドアのドア端部の部分断面図。
【図８】図８は、中空の板加工物として作られた場合のドア端部の部分断面図。
【図９】図９は、閉鎖様式の自由端部に接触する傾斜面を有する厚板ドア端部の部分断面図。
【図１０】図１０は、ドアに対する正面からの力を阻止する、閉じたドア用の座部を有する、図９における実施形態を改良したものの部分断面図。
【図１１】図１１は、ドアの反対側端部の部分断面図。
【図１】
2009509069.tif 000003
【図２】
2009509069.tif 000004
【図３】
2009509069.tif 000005
【図４】
2009509069.tif 000006
【図５】
2009509069.tif 000007
【図６】
2009509069.tif 000008
【図７】
2009509069.tif 000009
【図８】
2009509069.tif 000010
【図９】
2009509069.tif 000011
【図１０】
2009509069.tif 000012
【図１１】
2009509069.tif 000013
【国際調査報告】
2009509069.tif 000014
2009509069.tif 000015
2009509069.tif 000016